【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
インタフェースにおいて第１の所定のユーザ操作を検出すると、アプリケーションプログラムの保留状態をトリガするステップであって、前記インタフェースは少なくとも１つのアプリケーションプログラムのアイコンを有する、前記トリガするステップ（Ｓ１０）と；
前記保留状態において、ターゲットアプリケーションプログラムに対する第２の所定のユーザ操作を検出すると、前記ターゲットアプリケーションプログラムのデータを処理するステップ（Ｓ１２）と；を備える、
アプリケーションプログラムのデータ処理方法。
【請求項２】
前記ターゲットアプリケーションプログラムのデータ処理が完了したことを検出するステップの後、完了情報を表示するステップ（Ｓ１４）；を更に備える、
請求項１に記載のデータ処理方法。
【請求項３】
前記インタフェースにおいて第３の所定のユーザ操作を検出すると、前記保留状態を終了するために、前記アプリケーションプログラムをトリガするステップ（Ｓ１６）；を更に備える、
請求項２に記載のデータ処理方法。
【請求項４】
前記ターゲットアプリケーションプログラムのデータ処理が完了したことを検出する前記ステップの後に：
前記保留状態を終了するために、前記アプリケーションプログラムをトリガするステップ；を更に備える、
請求項２に記載のデータ処理方法。
【請求項５】
前記ターゲットアプリケーションプログラムのデータを処理する前記ステップは：
前記ターゲットアプリケーションプログラムのキャッシュを削除するステップと；
前記ターゲットアプリケーションプログラムの前記データを圧縮するステップと；
前記ターゲットアプリケーションプログラムにおいてフラグメントを編成するステップと；のうちの少なくとも１つのステップを備える、
請求項１に記載のデータ処理方法。
【請求項６】
ターゲットアプリケーションプログラムに対する第２の所定のユーザ操作を検出する前記ステップの後に：
前記第２の所定のユーザ操作に基づいて少なくとも２つの事前に記憶された削除オプションを呼び出すステップであって、各削除オプションは前記ターゲットアプリケーションプログラムのキャッシュカテゴリに対応する、前記呼び出すステップと；
前記削除オプションに対するユーザの選択結果に基づいて、前記ターゲットアプリケーションプログラムのデータを処理するステップを、対応して実行するステップと；を更に備える、
請求項５に記載のデータ処理方法。
【請求項７】
前記第1の所定のユーザ操作は、
確かな押圧操作、長押し操作、複数タップ操作、及びシェイク操作、のうちのいずれか１つ又は組み合わせを備える、
請求項１に記載のデータ処理方法。
【請求項８】
前記第２の所定のユーザ操作は、
確かな押圧操作、長押し操作、複数タップ操作、及びシェイク操作、のうちのいずれか１つ又は組み合わせを備える、
請求項１に記載のデータ処理方法。
【請求項９】
前記第２の所定のユーザ操作は、シェイク操作と押圧操作との組み合わせであり、
前記ターゲットアプリケーションプログラムのデータを処理する前記ステップは：
データ処理を必要とするターゲットアプリケーションプログラムを特定するために、前記押圧操作を識別するステップ（Ｓ１２１）と；
シェイク信号が所定の加速度閾値に達したことを検出すると、前記ターゲットアプリケーションプログラムの前記データを処理するステップ（Ｓ１２３）と；を備える、
請求項１に記載のデータ処理方法。
【請求項１０】
前記完了情報は：
前記ターゲットアプリケーションプログラムのアイコンを所定のトラックに基づいて移動するように制御するための情報と；
前記ターゲットアプリケーションプログラムのアイコンを第１の表示状態から第２の表示状態へ切り替えるように制御するための情報と；のいずれか一方を備える、
請求項２に記載のデータ処理方法。
【請求項１１】
前記ターゲットアプリケーションプログラムの前記データは、前記ターゲットアプリケーションプログラムに対する前記第２の所定のユーザ操作が検出されると、所定のルールに基づいて処理され、
前記所定のルールは、前記ターゲットアプリケーションプログラムの基本機能を維持するために用いられる、
請求項１に記載のデータ処理方法。
【請求項１２】
前記所定のルールは、
前記保留状態で、前記ターゲットアプリケーションプログラムを完全に又は部分的に削除するために使用可能なサブアイコンが、前記ターゲットアプリケーションプログラムに対応するアイコン上に現れる場合、データ処理イベントに入るために、前記ターゲットアプリケーションプログラムをトリガする場所を、サブアイコンを除く前記ターゲットアプリケーションプログラムのアイコン位置に設定する、
請求項１１に記載のデータ処理方法。
【請求項１３】
前記所定のルールは、
前記サブアイコンの元の機能を遮断し、
前記第２の所定のユーザ操作を受信する場所が、前記サブアイコンが位置する場所である場合、前記ターゲットアプリケーションプログラムの前記データを処理するイベントをトリガし、前記ターゲットアプリケーションプログラム自体は完全に又は部分的に削除されない、
請求項１１に記載のデータ処理方法。
【請求項１４】
請求項１〜１３のいずれか１項に記載の方法に従って動作を実行するように構成された、複数のモジュールを備える、
アプリケーションプログラムのデータ処理デバイス。
【手続補正２】
【補正対象書類名】明細書
【補正対象項目名】００８９
【補正方法】変更
【補正の内容】
【００８９】
本願の文書では、本願の複数の実施が説明されており、当業者であれば、本願の実施を互いに組み合わせることができることを理解できる。加えて、当業者は、本願の精神から逸脱することなく、本願の多くの修正及び変形が作れることを知っている。特許請求の範囲は、本願の精神から逸脱することなく、これらの修正及び変形を含むことを意図している。
［第１の局面］
インタフェースにおいて第１の所定のユーザ操作を検出すると、アプリケーションプログラムの保留状態をトリガするステップであって、前記インタフェースは少なくとも１つのアプリケーションプログラムのアイコンを有する、前記トリガするステップと；
前記保留状態において、ターゲットアプリケーションプログラムに対する第２の所定のユーザ操作を検出すると、前記ターゲットアプリケーションプログラムのデータを処理するステップと；を備える、
アプリケーションプログラムのデータ処理方法。
［第２の局面］
前記ターゲットアプリケーションプログラムのデータ処理が完了したことを検出した後、完了情報を表示するステップを更に備える、
第１の局面に記載の方法。
［第３の局面］
前記インタフェース内の第３の所定のユーザ操作を検出すると、前記アプリケーションプログラムをトリガして前記保留状態を終了するステップを更に備える、
第２の局面に記載の方法。
［第４の局面］
前記ターゲットアプリケーションプログラムのデータ処理が完了したことを検出する前記ステップの後に：
前記アプリケーションプログラムをトリガして前記保留状態を終了するステップを更に備える、
第２の局面に記載の方法。
［第５の局面］
ターゲットアプリケーションプログラムのデータを処理する前記ステップは：
前記ターゲットアプリケーションプログラム内のキャッシュを削除するステップと；
前記ターゲットアプリケーションプログラム内の前記データを圧縮するステップと；
前記ターゲットアプリケーションプログラム内でフラグメントを編成するステップと；のうちの少なくとも１つのステップを備える、
第１の局面に記載の方法。
［第６の局面］
前記ターゲットアプリケーションプログラムに対する第２の所定のユーザ操作を検出する前記ステップの後に：
前記第２の所定の操作に基づいて少なくとも２つの事前に記憶された削除オプションを呼び出すステップであって、各削除オプションは前記ターゲットアプリケーションプログラム内のキャッシュカテゴリに対応する、前記呼び出すステップと；
前記削除オプションに対するユーザの選択結果に基づいて、前記ターゲットアプリケーションプログラムのデータを処理するステップを対応して実行するステップと；を更に備える、
第５の局面に記載の方法。
［第７の局面］
前記第1の所定の操作は：
確かな押圧操作、長押し操作、複数タップ操作、及びシェイク操作、のうちのいずれか１つ又は組み合わせを備える、
第１の局面に記載の方法。
［第８の局面］
前記第２の所定の操作は：
確かな押圧操作、長押し操作、複数タップ操作、及びシェイク操作、のうちのいずれか１つ又は組み合わせを備える、
第１の局面に記載の方法。
［第９の局面］
前記第２の所定の操作は、シェイク操作と押圧操作との組み合わせであり；
ターゲットアプリケーションプログラムのデータを処理する前記ステップは：
前記押圧操作を識別してデータ処理を必要とする前記ターゲットアプリケーションプログラムを特定するステップと；
シェイク信号が所定の加速度閾値に達したことを検出すると、前記ターゲットアプリケーションプログラムの前記データを処理するステップと；を備える、
第１の局面に記載の方法。
［第１０の局面］
前記完了情報は：
前記ターゲットアプリケーションプログラムのアイコンを所定のトラックに基づいて移動するように制御するための情報と；
前記ターゲットアプリケーションプログラムのアイコンを第１の表示状態から第２の表示状態へ切り替えるように制御するための情報と；のいずれか一方を備える、
第２の局面に記載の方法。
［第１１の局面］
インタフェースにおいて第１の所定のユーザ操作が検出されると、アプリケーションプログラムの保留状態をトリガするよう構成された保留状態トリガモジュールであって、前記インタフェースが少なくとも１つのアプリケーションプログラムのアイコンを有する、前記保留状態トリガモジュールと；
ターゲットアプリケーションプログラムに対する第２の所定のユーザ操作が検出されると、保留状態にある前記ターゲットアプリケーションプログラムのデータを処理するよう構成されたデータ処理モジュールと；を備える、
アプリケーションプログラムのデータ処理デバイス。
［第１２の局面］
前記ターゲットアプリケーションプログラムの前記データ処理が完了したことを検出した後に、完了情報を表示するよう構成された完了情報表示モジュールを更に備える、
第１１の局面に記載のデバイス。
［第１３の局面］
前記インタフェースにおいて第３の所定のユーザ操作が検出されると、前記アプリケーションプログラムをトリガして前記保留状態を終了するよう構成された保留状態終了モジュールを更に備える、
第１２の局面に記載のデバイス。
［第１４の局面］
前記第２の所定の操作は、シェイク操作と押圧操作との組み合わせであり、前記データ処理モジュールは：
前記押圧操作を識別してデータ処理を必要とする前記ターゲットアプリケーションプログラムを特定するよう構成された特定ユニットと；
シェイク信号が所定の加速度閾値に達したことが検出されると、前記ターゲットアプリケーションプログラムの前記データを処理するよう構成された処理ユニットと；を備える、
第１１の局面に記載のデバイス。